(57)【特許請求の範囲】
【請求項１】
無線通信システムにおける基地局によるダウンリンク制御チャネルを割り当てる方法において、
各々複数のリソース要素（ＲＥ；ｒｅｓｏｕｒｃｅ  ｅｌｅｍｅｎｔ）を含む２個又は４個のＣＣＥ（ｃｏｎｔｒｏｌ  ｃｈａｎｎｅｌ  ｅｌｅｍｅｎｔ）をＰＲＢ（ｐｈｙｓｉｃａｌ  ｒｅｓｏｕｒｃｅ  ｂｌｏｃｋ）対内に割り当て；
前記２個又は４個のＣＣＥのうち少なくとも２個のＣＣＥにｅＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）をマッピングし；及び、
前記ｅＰＤＣＣＨを介して端末にダウンリンク制御信号を送信すること；を含み、
前記ｅＰＤＣＣＨは、少なくともＰＤＣＣＨ（ｐｈｙｓｉｃａｌ  ｄｏｗｎｌｉｎｋ  ｃｏｎｔｒｏｌ  ｃｈａｎｎｅｌ）のために使われるリソース要素、セル特定参照信号（ＣＲＳ；ｃｅｌｌ−ｓｐｅｃｉｆｉｃ  ｒｅｆｅｒｅｎｃｅ  ｓｉｇｎａｌ）のために使われるリソース要素、前記ｅＰＤＤＣＨのための復調参照信号（ＤＭＲＳ；ｄｅｍｏｄｕｌａｔｉｏｎ  ｒｅｆｅｒｅｎｃｅ  ｓｉｇｎａｌ）のために使われるリソース要素、及びチャネル状態情報参照信号（ＣＳＩＲＳ；ｃｈａｎｎｅｌ  ｓｔａｔｅ  ｉｎｆｏｒｍａｔｉｏｎ  ｒｅｆｅｒｅｎｃｅ  ｓｉｇｎａｌ）のために使われるリソース要素を除いて前記少なくとも２個のＣＣＥにマッピングされることを特徴とする方法。
【請求項２】
２個又は４個のＣＣＥが前記ＰＲＢ対内に割り当てられる時、前記ｅＰＤＣＣＨは、２個のＣＣＥにマッピングされることを特徴とする請求項１に記載の方法。
【請求項３】
４個のＣＣＥが前記ＰＲＢ対内に割り当てられる時、前記ｅＰＤＣＣＨは、４個のＣＣＥにマッピングされることを特徴とする請求項１に記載の方法。
【請求項４】
２個のＣＣＥが前記ＰＲＢ対内に割り当てられる時、前記各ＣＣＥは、８個のリソース要素グループを含むことを特徴とする請求項１に記載の方法。
【請求項５】
４個のＣＣＥが前記ＰＲＢ対内に割り当てられる時、前記各ＣＣＥは、４個のリソース要素グループを含むことを特徴とする請求項１に記載の方法。
【請求項６】
前記ダウンリンク制御信号は、スケジューリング割当であることを特徴とする請求項１に記載の方法。
【請求項７】
前記端末が前記ｅＰＤＣＣＨを復調するための前記ＤＭＲＳを前記端末に送信することをさらに含むことを特徴とする請求項１に記載の方法。
【請求項８】
無線通信システムにおける端末によるダウンリンク制御信号を受信する方法において、
ＰＲＢ（ｐｈｙｓｉｃａｌ  ｒｅｓｏｕｒｃｅ  ｂｌｏｃｋ）対内に割り当てられた２個又は４個のＣＣＥ（ｃｏｎｔｒｏｌ  ｃｈａｎｎｅｌ  ｅｌｅｍｅｎｔ）のうち少なくとも２個のＣＣＥにマッピングされたｅＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）をモニタリングし；及び、
前記ｅＰＤＣＣＨを介して基地局からダウンリンク制御信号を受信すること；を含み、
前記ｅＰＤＣＣＨは、少なくともＰＤＣＣＨ（ｐｈｙｓｉｃａｌ  ｄｏｗｎｌｉｎｋ  ｃｏｎｔｒｏｌ  ｃｈａｎｎｅｌ）のために使われるリソース要素、セル特定参照信号（ＣＲＳ；ｃｅｌｌ−ｓｐｅｃｉｆｉｃ  ｒｅｆｅｒｅｎｃｅ  ｓｉｇｎａｌ）のために使われるリソース要素、前記ｅＰＤＤＣＨのための復調参照信号（ＤＭＲＳ；ｄｅｍｏｄｕｌａｔｉｏｎ  ｒｅｆｅｒｅｎｃｅ  ｓｉｇｎａｌ）のために使われるリソース要素、及びチャネル状態情報参照信号（ＣＳＩＲＳ；ｃｈａｎｎｅｌ  ｓｔａｔｅ  ｉｎｆｏｒｍａｔｉｏｎ  ｒｅｆｅｒｅｎｃｅ  ｓｉｇｎａｌ）のために使われるリソース要素を除いて前記少なくとも２個のＣＣＥにマッピングされることを特徴とする方法。
【請求項９】
２個又は４個のＣＣＥが前記ＰＲＢ対内に割り当てられる時、前記ｅＰＤＣＣＨは、２個のＣＣＥにマッピングされることを特徴とする請求項８に記載の方法。
【請求項１０】
４個のＣＣＥが前記ＰＲＢ対内に割り当てられる時、前記ｅＰＤＣＣＨは、４個のＣＣＥにマッピングされることを特徴とする請求項８に記載の方法。
【請求項１１】
２個のＣＣＥが前記ＰＲＢ対内に割り当てられる時、前記各ＣＣＥは、８個のリソース要素グループを含むことを特徴とする請求項８に記載の方法。
【請求項１２】
４個のＣＣＥが前記ＰＲＢ対内に割り当てられる時、前記各ＣＣＥは、４個のリソース要素グループを含むことを特徴とする請求項８に記載の方法。
【請求項１３】
前記ダウンリンク制御信号は、スケジューリング割当であることを特徴とする請求項８に記載の方法。
【請求項１４】
前記ｅＰＤＣＣＨを復調するための前記ＤＭＲＳを前記基地局から受信することをさらに含む特徴とする請求項８に記載の方法。
【発明の詳細な説明】
【技術分野】
【０００１】
本発明は、無線通信に関し、より詳しくは、分散された多重ノードを含む無線通信システムにおけるダウンリンク制御チャネル割当方法及び装置に関する。
【背景技術】
【０００２】
最近、活発に研究されている次世代マルチメディア無線通信システムは、初期の音声中心のサービスを越えて映像、無線データなどの多様な情報を処理して送信することができるシステムが要求されている。現在、３世帯無線通信システムの以後に開発されている４世帯無線通信は、ダウンリンク１Ｇｂｐｓ（ｇｉｇａｂｉｔｓ  ｐｅｒ  ｓｅｃｏｎｄ）及びアップリンク５００Ｍｂｐｓ（ｍｅｇａｂｉｔｓ  ｐｅｒ  ｓｅｃｏｎｄ）の高速のデータサービスをサポートすることを目標とする。無線通信システムの目的は、多数のユーザが位置と移動性に関係なく信頼できる（ｒｅｌｉａｂｌｅ）通信を可能にすることである。しかし、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、多重経路（ｍｕｌｔｉｐａｔｈ）によるフェーディング（ｆａｄｉｎｇ）現象、シンボル間干渉（ＩＳＩ；ｉｎｔｅｒ−ｓｙｍｂｏｌ  ｉｎｔｅｒｆｅｒｅｎｃｅ）又は端末の移動性によるドップラー効果（Ｄｏｐｐｌｅｒ  ｅｆｆｅｃｔ）などの非理想的な特性がある。無線チャネルの非理想的特性を克服し、無線通信の信頼度（ｒｅｌｉａｂｉｌｉｔｙ）を高めるために多様な技術が開発されている。
【０００３】
一方、Ｍ２Ｍ（ｍａｃｈｉｎｅ−ｔｏ−ｍａｃｈｉｎｅ）通信の導入、スマートフォン、タブレットＰＣなどの多様なデバイスの出現及び普及のためセルラー（ｃｅｌｌｕａｒ）ネットワークに対するデータ要求量が急速に増加している。高いデータ要求量を満たすために多様な技術が開発されている。より多くの周波数帯域を効率的に使用するための搬送波集約（ＣＡ；ｃａｒｒｉｅｒ  ａｇｇｒｅｇａｔｉｏｎ）技術、コグニティブ無線（ＣＲ；ｃｏｇｎｉｔｉｖｅ  ｒａｄｉｏ）技術などが研究中である。また、限定された周波数帯域内でデータ容量を高めるための多重アンテナ技術、多重基地局協力技術などが研究されている。即ち、結局無線通信システムは、ユーザ周辺に接続することができるノード（ｎｏｄｅ）の密度が高まる方向に進化するようになる。ノードの密度が高い無線通信システムは、ノード間の協力によって性能がさらに向上することができる。即ち、各ノードが互いに協力する無線通信システムは、各ノードが独立的な基地局（ＢＳ；ｂａｓｅ  ｓｔａｔｉｏｎ）、ＡＢＳ（ａｄｖａｎｃｅｄ  ＢＳ）、Ｎｏｄｅ−Ｂ（ＮＢ）、ｅＮｏｄｅ−Ｂ（ｅＮＢ）、ＡＰ（ａｃｃｅｓｓ  ｐｏｉｎｔ）等として動作する無線通信システムより優れた性能を有する。
【０００４】
無線通信システムの性能改善のために、セル内の複数のノードを具備した分散多重ノードシステム（ＤＭＮＳ；ｄｉｓｔｒｉｂｕｔｅｄ  ｍｕｌｔｉ  ｎｏｄｅ  ｓｙｓｔｅｍ）が適用されることができる。多重ノードシステムは、分散アンテナシステム（ＤＡＳ；ｄｉｓｔｒｉｂｕｔｅｄ  ａｎｔｅｎｎａ  ｓｙｓｔｅｍ）、無線遠隔装備（ＲＲＨ；ｒａｄｉｏ  ｒｅｍｏｔｅ  ｈｅａｄ）などを含むことができる。また、既に開発され、又は今後に適用可能な多様なＭＩＭＯ（ｍｕｌｔｉｐｌｅ−ｉｎｐｕｔ  ｍｕｌｔｉｐｌｅ−ｏｕｔｐｕｔ）技法と協力通信技法を分散多重ノードシステムに適用するための標準化作業が進行中である。多重ノードシステムによってリンク品質（ｌｉｎｋ  ｑｕａｌｉｔｙ）の改善が予想されるが、多様なＭＩＭＯ技法及び協力通信技法を多重ノードシステムに適用するために新たな制御チャネルの導入が要求される。
【０００５】
多重ノードシステムのための新たな制御チャネルを効率的に割り当てるための方法が要求される。
【発明の概要】
【発明が解決しようとする課題】
【０００６】
本発明の技術的課題は、無線通信システムにおけるダウンリンク制御チャネル割当方法及び装置を提供することである。本発明は、一つ又は複数のセル内に複数のノードが存在する多重ノードシステムにおいて、複数のノードをサポートするための新たなダウンリンク制御チャネルの割当方法を提案する。本発明は、複数のノードをサポートするための新たなダウンリンク制御チャネルの位置情報を指示するｅ−ＰＣＦＩＣＨ（ｅｎｈａｎｃｅｄ  ｐｈｙｓｉｃａｌ  ｃｏｎｔｒｏｌ  ｆｏｒｍａｔ  ｉｎｄｉｃａｔｏｒ  ｃｈａｎｎｅｌ）を定義する。本発明は、端末がｅ−ＰＤＣＣＨを効率的に検出するためにブラインドデコーディングの複雑度を最小化する方法を提案する。
【課題を解決するための手段】
【０００７】
一態様において、無線通信システムにおける基地局によるダウンリンク制御チャネル割当方法が提供される。前記ダウンリンク制御チャネル割当方法は、一つのリソースブロック（ＲＢ；ｒｅｓｏｕｒｃｅ  ｂｌｏｃｋ）内のデータ領域に複数のリソース要素（ＲＥ；ｒｅｓｏｕｒｃｅ  ｅｌｅｍｅｎｔ）を含む少なくとも一つの制御チャネル要素（ＣＣＥ；ｃｏｎｔｒｏｌ  ｃｈａｎｎｅｌ  ｅｌｅｍｅｎｔｓ）を割り当て、前記少なくとも一つのＣＣＥに対応されるｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当て、前記割り当てられたｅ−ＰＤＣＣＨを介してダウンリンク制御信号を送信することを含む。
【０００８】
前記ｅ−ＰＤＣＣＨの集約レベル（ａｇｇｒｅｇａｔｉｏｎ  ｌｅｖｅｌ）によって複数のＲＢに複数のＣＣＥが割り当てられ、前記複数のＣＣＥに複数のｅ−ＰＤＣＣＨが各々対応される。
【０００９】
前記複数のＣＣＥは、前記複数のＲＢ内のデータ領域の全てのリソース要素に割り当てられる。
【００１０】
前記各ＲＢは、複数のリソースに分割され、前記ｅ−ＰＤＣＣＨの集約レベルによって各ｅ−ＰＤＣＣＨに少なくとも一つの前記リソースが割り当てられる。
【００１１】
前記各ＲＢは、２個〜４個のリソースに分割される。
【００１２】
前記一つのＣＣＥは、最大３６個のリソース要素を含む。
【００１３】
前記一つのＣＣＥは、復調参照信号（ＤＭＲＳ；ｄｅｍｏｄｕｌａｔｉｏｎ  ｒｅｆｅｒｅｎｃｅ  ｓｉｇｎａｌ）がマッピングされるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル内で前記ＤＭＲＳがマッピングされるリソース要素を除いた残りのリソース要素に割り当てられる。
【００１４】
前記一つのＣＣＥは、前記ＤＭＲＳがマッピングされるＯＦＤＭシンボルと隣接したＯＦＤＭシンボル内でセル特定参照信号（ＣＲＳ；ｃｅｌｌ−ｓｐｅｃｉｆｉｃ  ｒｅｆｅｒｅｎｃｅ  ｓｉｇｎａｌ）がマッピングされるリソース要素を除いた残りのリソース要素のうち一部にさらに割り当てられる。
【００１５】
前記一つのＣＣＥは、ＤＭＲＳ及びＣＲＳがマッピングされないＯＦＤＭシンボル内のリソース要素に割り当てられる。
【００１６】
前記一つのＣＣＥは、時間領域（ｔｉｍｅ  ｄｏｍａｉｎ）又は周波数領域（ｆｒｅｑｕｅｎｃｙ  ｄｏｍａｉｎ）でＤＭＲＳ及びＣＲＳがマッピングされないリソース要素に順序に割り当てられる。
【００１７】
前記ダウンリンク制御チャネル割当方法は、前記一つのＲＢ内のデータ領域に割り当てられた前記少なくとも一つのＣＣＥに複数の端末のｅ−ＰＤＣＣＨを割り当て、前記複数の端末のｅ−ＰＤＣＣＨを多重化することをさらに含む。
【００１８】
他の態様において、無線通信システムにおける端末によるダウンリンク制御チャネル検出方法が提供される。前記ダウンリンク制御チャネル検出方法は、複数のリソースブロック（ＲＢ；ｒｅｓｏｕｒｃｅ  ｂｌｏｃｋ）のデータ領域にｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）の集約レベル（ａｇｇｒｅｇａｔｉｏｎ  ｌｅｖｅｌ）によって前記ｅ−ＰＤＣＣＨの探索領域を構成し、前記構成されたｅ−ＰＤＣＣＨの探索領域でブラインドデコーディングを実行して前記ｅ−ＰＤＣＣＨを検出することを含み、前記ｅ−ＰＤＣＣＨは、前記ＲＢ内のデータ領域の複数のリソース要素（ＲＥ；ｒｅｓｏｕｒｃｅ  ｅｌｅｍｅｎｔ）を含む少なくとも一つの制御チャネル要素（ＣＣＥ；ｃｏｎｔｒｏｌ  ｃｈａｎｎｅｌ  ｅｌｅｍｅｎｔｓ）に対応される。
【００１９】
前記各ＲＢは、複数のリソースに分割され、前記ｅ−ＰＤＣＣＨの集約レベルによって各ｅ−ＰＤＣＣＨに少なくとも一つの前記リソースが割り当てられる。
【００２０】
前記各ＲＢは、２個〜４個のリソースに分割される。
【００２１】
前記一つのＣＣＥは、最大３６個のリソース要素を含む。
例えば、本願発明は以下の項目を提供する。
（項目１）
無線通信システムにおける基地局によるダウンリンク制御チャネル割当方法において、
一つのリソースブロック（ＲＢ；ｒｅｓｏｕｒｃｅ  ｂｌｏｃｋ）内のデータ領域に複数のリソース要素（ＲＥ；ｒｅｓｏｕｒｃｅ  ｅｌｅｍｅｎｔ）を含む少なくとも一つの制御チャネル要素（ＣＣＥ；ｃｏｎｔｒｏｌ  ｃｈａｎｎｅｌ  ｅｌｅｍｅｎｔｓ）を割り当て、
前記少なくとも一つのＣＣＥに対応されるｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を割り当て、
前記割り当てられたｅ−ＰＤＣＣＨを介してダウンリンク制御信号を送信することを含むダウンリンク制御チャネル割当方法。
（項目２）
前記ｅ−ＰＤＣＣＨの集約レベル（ａｇｇｒｅｇａｔｉｏｎ  ｌｅｖｅｌ）によって複数のＲＢに複数のＣＣＥが割り当てられ、前記複数のＣＣＥに複数のｅ−ＰＤＣＣＨが各々対応される項目１に記載のダウンリンク制御チャネル割当方法。
（項目３）
前記複数のＣＣＥは、前記複数のＲＢ内のデータ領域の全てのリソース要素に割り当てられる項目２に記載のダウンリンク制御チャネル割当方法。
（項目４）
前記各ＲＢは、複数のリソースに分割され、前記ｅ−ＰＤＣＣＨの集約レベルによって各ｅ−ＰＤＣＣＨに少なくとも一つの前記リソースが割り当てられる項目２に記載のダウンリンク制御チャネル割当方法。
（項目５）
前記各ＲＢは、２個〜４個のリソースに分割される項目４に記載のダウンリンク制御チャネル割当方法。
（項目６）
前記一つのＣＣＥは、最大３６個のリソース要素を含む項目１に記載のダウンリンク制御チャネル割当方法。
（項目７）
前記一つのＣＣＥは、復調参照信号（ＤＭＲＳ；ｄｅｍｏｄｕｌａｔｉｏｎ  ｒｅｆｅｒｅｎｃｅ  ｓｉｇｎａｌ）がマッピングされるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル内で前記ＤＭＲＳがマッピングされるリソース要素を除いた残りのリソース要素に割り当てられる項目１に記載のダウンリンク制御チャネル割当方法。
（項目８）
前記一つのＣＣＥは、前記ＤＭＲＳがマッピングされるＯＦＤＭシンボルと隣接したＯＦＤＭシンボル内でセル特定参照信号（ＣＲＳ；ｃｅｌｌ−ｓｐｅｃｉｆｉｃ  ｒｅｆｅｒｅｎｃｅ  ｓｉｇｎａｌ）がマッピングされるリソース要素を除いた残りのリソース要素のうち一部にさらに割り当てられる項目７に記載のダウンリンク制御チャネル割当方法。
（項目９）
前記一つのＣＣＥは、ＤＭＲＳ及びＣＲＳがマッピングされないＯＦＤＭシンボル内のリソース要素に割り当てられる項目１に記載のダウンリンク制御チャネル割当方法。
（項目１０）
前記一つのＣＣＥは、時間領域（ｔｉｍｅ  ｄｏｍａｉｎ）又は周波数領域（ｆｒｅｑｕｅｎｃｙ  ｄｏｍａｉｎ）でＤＭＲＳ及びＣＲＳがマッピングされないリソース要素に順序に割り当てられる項目１に記載のダウンリンク制御チャネル割当方法。
（項目１１）
前記一つのＲＢ内のデータ領域に割り当てられた前記少なくとも一つのＣＣＥに複数の端末のｅ−ＰＤＣＣＨを割り当て、前記複数の端末のｅ−ＰＤＣＣＨを多重化することをさらに含む項目１に記載のダウンリンク制御チャネル割当方法。
（項目１２）
無線通信システムにおける端末によるダウンリンク制御チャネル検出方法において、
複数のリソースブロック（ＲＢ；ｒｅｓｏｕｒｃｅ  ｂｌｏｃｋ）のデータ領域にｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）の集約レベル（ａｇｇｒｅｇａｔｉｏｎ  ｌｅｖｅｌ）によって前記ｅ−ＰＤＣＣＨの探索領域を構成し、
前記構成されたｅ−ＰＤＣＣＨの探索領域でブラインドデコーディングを実行して前記ｅ−ＰＤＣＣＨを検出することを含み、
前記ｅ−ＰＤＣＣＨは、前記ＲＢ内のデータ領域の複数のリソース要素（ＲＥ；ｒｅｓｏｕｒｃｅ  ｅｌｅｍｅｎｔ）を含む少なくとも一つの制御チャネル要素（ＣＣＥ；ｃｏｎｔｒｏｌ  ｃｈａｎｎｅｌ  ｅｌｅｍｅｎｔｓ）に対応されるダウンリンク制御チャネル検出方法。
（項目１３）
前記各ＲＢは、複数のリソースに分割され、前記ｅ−ＰＤＣＣＨの集約レベルによって各ｅ−ＰＤＣＣＨに少なくとも一つの前記リソースが割り当てられる項目１２に記載のダウンリンク制御チャネル検出方法。
（項目１４）
前記各ＲＢは、２個〜４個のリソースに分割される項目１３に記載のダウンリンク制御チャネル検出方法。
（項目１５）
前記一つのＣＣＥは、最大３６個のリソース要素を含む項目１２に記載のダウンリンク制御チャネル検出方法。
【発明の効果】
【００２２】
多重ノードシステムのためのｅ−ＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を効率的に割り当てることができる。
【図面の簡単な説明】
【００２３】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】多重ノードシステムの一例を示す。
【図７】ＣＲＳがマッピングされるＲＢの一例を示す。
【図８】ＣＲＳがマッピングされるＲＢの一例を示す。
【図９】ＣＲＳがマッピングされるＲＢの一例を示す。
【図１０】ＤＭＲＳがマッピングされるＲＢの一例を示す。
【図１１】ＣＳＩ  ＲＳがマッピングされるＲＢの一例を示す。
【図１２】ＰＣＦＩＣＨ、ＰＤＣＣＨ、及びＰＤＳＣＨがサブフレームにマッピングされる一例を示す。
【図１３】ｅ−ＰＤＣＣＨを介したリソース割当の一例を示す。
【図１４】ＲＢに割り当てられるＲ−ＰＤＣＣＨの一例を示す。
【図１５】ＲＢに割り当てられるｅ−ＰＤＣＣＨの一例を示す。
【図１６】ＲＢに割り当てられるｅ−ＰＤＣＣＨの他の例を示す。
【図１７】ＲＢに割り当てられるｅ−ＰＤＣＣＨの他の例を示す。
【図１８】ＲＢに割り当てられるｅ−ＰＤＣＣＨの他の例を示す。
【図１９】提案されたｅ−ＰＤＣＣＨ割当方法によってｅ−ＰＤＣＣＨがＲＢにマッピングされる一例を示す。
【図２０】提案されたｅ−ＰＤＣＣＨ割当方法によってｅ−ＰＤＣＣＨがＲＢにマッピングされる他の例を示す。
【図２１】提案されたｅ−ＰＤＣＣＨ割当方法によってｅ−ＰＤＣＣＨがＲＢにマッピングされる他の例を示す。
【図２２】提案されたｅ−ＰＤＣＣＨ割当方法によってｅ−ＰＤＣＣＨがＲＢにマッピングされる他の例を示す。
【図２３】提案されたｅ−ＰＤＣＣＨ割当方法によってｅ−ＰＤＣＣＨに複数のＣＣＥが割り当てられる時、集約レベルによるｅ−ＰＤＣＣＨの探索領域構成の一例を示す。
【図２４】提案されたｅ−ＰＤＣＣＨ割当方法によって一つのＲＢ内のＣＣＥ割当のためのリソース分割の一例を示す。
【図２５】提案されたｅ−ＰＤＣＣＨ割当方法によって一つのＲＢ内のＣＣＥ割当のためのリソース分割の他の例を示す。
【図２６】提案されたｅ−ＰＤＣＣＨ割当方法によって一つのＲＢ内のＣＣＥ割当のためのリソース分割の他の例を示す。
【図２７】提案されたｅ−ＰＤＣＣＨ割当方法によって複数の端末のｅ−ＰＤＣＣＨが一つのＲＢに多重化されることを示す。
【図２８】提案されたｅ−ＰＤＣＣＨ割当方法の一実施例を示す。
【図２９】提案されたｅ−ＰＤＣＣＨ検出方法の一実施例を示す。
【図３０】本発明の実施例が具現される無線通信システムのブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの下位互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００２５】
説明を明確にするために、ＬＴＥ−Ａを中心に記述するが、本発明の技術的思想がこれに制限されるものではない。
【００２６】
図１は、無線通信システムである。
【００２７】
無線通信システム１０は、少なくとも一つの基地局（ｂａｓｅ  ｓｔａｔｉｏｎ、ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（ｕｓｅｒ  ｅｑｕｉｐｍｅｎｔ、ＵＥ）１２は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００２８】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２９】
この技術は、ダウンリンク（ｄｏｗｎｌｉｎｋ）又はアップリンク（ｕｐｌｉｎｋ）に使われることができる。一般的に、ダウンリンクは、基地局１１から端末１２への通信を意味し、アップリンクは、端末１２から基地局１１への通信を意味する。ダウンリンクにおいて、送信機は基地局１１の一部分であり、受信機は端末１２の一部分である。アップリンクにおいて、送信機は端末１２の一部分であり、受信機は基地局１１の一部分である。
【００３０】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号又はストリームの送信に使われる物理的又は論理的アンテナを意味し、受信アンテナは、一つの信号又はストリームの受信に使われる物理的又は論理的アンテナを意味する。
【００３１】
図２は、３ＧＰＰ  ＬＴＥにおける無線フレーム（ｒａｄｉｏ  ｆｒａｍｅ）の構造を示す。
【００３２】
これは３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の５節を参照することができる。図２を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、＃０から＃１９までのスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３３】
一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；ｒｅｓｏｕｒｃｅ  ｂｌｏｃｋ）は、リソース割当単位であり、一つのスロットで複数の連続する副搬送波を含む。前記無線フレームの構造は、一例に過ぎない。したがって、無線フレームに含まれるサブフレームの個数やサブフレームに含まれるスロットの個数、又はスロットに含まれるＯＦＤＭシンボルの個数は、多様に変更されることができる。
【００３４】
３ＧＰＰ  ＬＴＥは、ノーマル（ｎｏｒｍａｌ）サイクリックプレフィックス（ＣＰ；ｃｙｃｌｉｃ  ｐｒｅｆｉｘ）で、一つのスロットは７個のＯＦＤＭシンボルを含み、拡張（ｅｘｔｅｎｄｅｄ）ＣＰで、一つのスロットは６個のＯＦＤＭシンボルを含むと定義している。
【００３５】
無線通信システムは、大きく、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同一周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答が略同一であるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割するため、基地局によるダウンリンク送信と端末によるアップリンク送信が同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３６】
図３は、一つのダウンリンクスロットに対するリソースグリッド（ｒｅｓｏｕｒｃｅ  ｇｒｉｄ）の一例を示す。
【００３７】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおいて、ＮＲＢは、６０〜１１０のうちいずれか一つである。一つのリソースブロックは、周波数領域で複数の副搬送波を含む。アップリンクスロットの構造も、前記ダウンリンクスロットの構造と同様である。
【００３８】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ、ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００３９】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は１２８、２５６、５１２、１０２４、１５３６、及び２０４８のうち一つを選定して使用することができる。
【００４０】
図４は、ダウンリンクサブフレームの構造を示す。
【００４１】
ダウンリンクサブフレームは、時間領域で２個のスロットを含み、各スロットは、ノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域である。
【００４２】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ−ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合、及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、端末は、複数のＰＤＣＣＨをモニタリングすることができる。ＰＤＣＣＨは、一つ又は複数個の連続的なＣＣＥ（ｃｏｎｔｒｏｌ  ｃｈａｎｎｅｌ  ｅｌｅｍｅｎｔｓ）の集約レベル（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００４３】
基地局は、端末に送ろうとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣにはＰＤＣＣＨの所有者（ｏｗｎｅｒ）や用途によって固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）がマスキングされる。特定端末のためのＰＤＣＣＨの場合、端末の固有識別子、例えば、Ｃ−ＲＮＴＩ（ｃｅｌｌ−ＲＮＴＩ）がＣＲＣにマスキングされることができる。又は、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ＳＩＢ；ｓｙｓｔｅｍ  ｉｎｆｏｒｍａｔｉｏｎ  ｂｌｏｃｋ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（ｒａｎｄｏｍ  ａｃｃｅｓｓ−ＲＮＴＩ）がＣＲＣにマスキングされることができる。
【００４４】
図５は、アップリンクサブフレームの構造を示す。
【００４５】
アップリンクサブフレームは、周波数領域で制御領域とデータ領域とに分けられることができる。前記制御領域は、アップリンク制御情報が送信されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。前記データ領域は、データが送信されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、端末は、ＰＵＳＣＨとＰＵＣＣＨの同時送信をサポートすることができる。
【００４６】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００４７】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００４８】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００４９】
無線通信システムの性能を向上させるために、ユーザ周辺に接続することができるノード（ｎｏｄｅ）の密度を高める方向に技術が進化している。ノードの密度が高い無線通信システムは、ノード間の協力によって性能がさらに向上することができる。
【００５０】
図６は、多重ノードシステムの一例を示す。
【００５１】
図６を参照すると、多重ノードシステム２０は、一つの基地局２１と複数のノード２５−１、２５−２、２５−３、２５−４、２５−５で構成されることができる。複数のノード２５−１、２５−２、２５−３、２５−４、２５−５は、一つの基地局２１によって管理されることができる。即ち、複数のノード２５−１、２５−２、２５−３、２５−４、２５−５は、一つのセルの一部のように動作する。このとき、各ノード２５−１、２５−２、２５−３、２５−４、２５−５は、別途のノードＩＤ（ｉｄｅｎｔｉｆｉｅｒ）の割当を受けることができ、又は別途のノードＩＤなくセル内の一部アンテナ集団のように動作することができる。このような場合、図６の多重ノードシステム２０は、一つのセルを形成する分散多重ノードシステム（ＤＭＮＳ；ｄｉｓｔｒｉｂｕｔｅｄ  ｍｕｌｔｉ  ｎｏｄｅ  ｓｙｓｔｅｍ）とみることができる。
【００５２】
または、複数のノード２５−１、２５−２、２５−３、２５−４、２５−５は、個別的なセルＩＤを有し、端末のスケジューリング及びハンドオーバ（ＨＯ；ｈａｎｄｏｖｅｒ）を実行することができる。このような場合、図６の多重ノードシステム２０は、多重セルシステムとみることができる。基地局２１は、マクロセル（ｍａｃｒｏ  ｃｅｌｌ）であり、各ノードは、マクロセルのセルカバレッジ（ｃｅｌｌ  ｃｏｖｅｒａｇｅ）より小さいセルカバレッジを有するフェムトセル（ｆｅｍｔｏ  ｃｅｌｌ）又はピコセル（ｐｉｃｏ  ｃｅｌｌ）である。このように、複数のセルがカバレッジによってオーバーレイ（ｏｖｅｒｌａｙ）されて構成される場合、多層ネットワーク（ｍｕｌｔｉ−ｔｉｅｒ  ｎｅｔｗｏｒｋ）ということができる。
【００５３】
図６において、各ノード２５−１、２５−２、２５−３、２５−４、２５−５は、基地局、Ｎｏｄｅ−Ｂ、ｅＮｏｄｅ−Ｂ、ピコセルｅＮｂ（ＰｅＮＢ）、ホームｅＮＢ（ＨｅＮＢ）、無線遠隔装備（ＲＲＨ；ｒａｄｉｏ  ｒｅｍｏｔｅ  ｈｅａｄ）、中継局（ＲＳ；ｒｅｌａｙ  ｓｔａｔｉｏｎ又はｒｅｐｅａｔｅｒ）、分散アンテナ（ｄｉｓｔｒｉｂｕｔｅｄ  ａｎｔｅｎｎａ）のうちいずれか一つとなることができる。一つのノードには最小一つのアンテナが設置されることができる。また、ノードは、ポイント（ｐｏｉｎｔ）とも呼ばれる。以下の明細書で、ノードは、ＤＭＮＳから一定間隔以上離れたアンテナグループを意味する。即ち、以下の明細書で、各ノードは、物理的にＲＲＨを意味すると仮定する。しかし、本発明は、これに制限されるものではなく、ノードは、物理的間隔に関係なく任意のアンテナグループに定義されることができる。例えば、複数の交差偏光されたアンテナ（ｃｒｏｓｓ  ｐｏｌａｒｉｚｅｄ  ａｎｔｅｎｎａ）で構成された基地局を、水平偏光されたアンテナ（ｈｏｒｉｚｏｎｔａｌ  ｐｏｌａｒｉｚｅｄ  ａｎｔｅｎｎａ）で構成されたノードと垂直偏光されたアンテナ（ｖｅｒｔｉｃａｌ  ｐｏｌａｒｉｚｅｄ  ａｎｔｅｎｎａ）で構成されたノードからなっていると判断して本発明を適用することができる。また、本発明は、各ノードがマクロセルに比べてセルカバレッジが小さいピコセル又はフェムトセルである場合、即ち、多重セルシステムでも適用されることができる。以下の説明で、アンテナは、物理的なアンテナだけでなく、アンテナポート、仮想（ｖｉｒｔｕａｌ）アンテナ、アンテナグループなどに代替されることができる。
【００５４】
以下、参照信号に対して説明する。
【００５５】
参照信号（ＲＳ；ｒｅｆｅｒｅｎｃｅ  ｓｉｇｎａｌ）は、一般的にシーケンスで送信される。参照信号シーケンスは、特別な制限なく任意のシーケンスが使われることができる。参照信号シーケンスは、ＰＳＫ（ｐｈａｓｅ  ｓｈｉｆｔ  ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（ｂｉｎａｒｙ  ｐｈａｓｅ  ｓｈｉｆｔ  ｋｅｙｉｎｇ）、ＱＰＳＫ（ｑｕａｄｒａｔｕｒｅ  ｐｈａｓｅ  ｓｈｉｆｔ  ｋｅｙｉｎｇ）などがある。または、参照信号シーケンスは、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。または、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは、循環シフトされたシーケンス（ｃｙｃｌｉｃａｌｌｙ  ｓｈｉｆｔｅｄ  ｓｅｑｕｅｎｃｅ）を利用することができる。
【００５６】
ダウンリンク参照信号は、セル特定参照信号（ＣＲＳ；ｃｅｌｌ−ｓｐｅｃｉｆｉｃ  ＲＳ）、ＭＢＳＦＮ（ｍｕｌｔｉｍｅｄｉａ  ｂｒｏａｄｃａｓｔ  ａｎｄ  ｍｕｌｔｉｃａｓｔ  ｓｉｎｇｌｅ  ｆｒｅｑｕｅｎｃｙ  ｎｅｔｗｏｒｋ）参照信号、端末特定参照信号（ＵＥ−ｓｐｅｃｉｆｉｃ  ＲＳ）、ポジショニング参照信号（ＰＲＳ；ｐｏｓｉｔｉｏｎｉｎｇ  ＲＳ）、及びチャネル状態情報（ＣＳＩ；ｃｈａｎｎｅｌ  ｓｔａｔｅ  ｉｎｆｏｒｍａｔｉｏｎ）参照信号（ＣＳＩ  ＲＳ）に区分されることができる。ＣＲＳは、セル内の全ての端末に送信される参照信号であり、ＣＱＩ（ｃｈａｎｎｅｌ  ｑｕａｌｉｔｙ  ｉｎｄｉｃａｔｏｒ）フィードバックに対するチャネル測定とＰＤＳＣＨに対するチャネル推定に使われることができる。ＭＢＳＦＮ参照信号は、ＭＢＳＦＮ送信のために割り当てられたサブフレームで送信されることができる。端末特定参照信号は、セル内の特定端末又は特定端末グループが受信する参照信号であり、復調参照信号（ＤＭＲＳ；ｄｅｍｏｄｕｌａｔｉｏｎ  ＲＳ）とも呼ばれる。ＤＭＲＳは、特定端末又は特定端末グループがデータ復調に主に使われる。ＰＲＳは、端末の位置推定に使われることができる。ＣＳＩ  ＲＳは、ＬＴＥ−Ａ端末のＰＤＳＣＨに対するチャネル推定に使われる。ＣＳＩ  ＲＳは、周波数領域又は時間領域で比較的少なく（ｓｐａｒｓｅ）配置され、一般サブフレーム又はＭＢＳＦＮサブフレームのデータ領域では省略（ｐｕｎｃｔｕｒｅｄ）されることができる。ＣＳＩの推定を介して、必要な場合、ＣＱＩ、ＰＭＩ、及びＲＩなどが端末から報告されることができる。
【００５７】
ＣＲＳは、ＰＤＳＣＨ送信をサポートするセル内の全てのダウンリンクサブフレームで送信される。ＣＲＳは、アンテナポート０乃至３上に送信されることができ、Δｆ＝１５ｋＨｚに対してのみ定義されることができる。ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の６．１０．１節を参照することができる。
【００５８】
図７乃至図９は、ＣＲＳがマッピングされるＲＢの一例を示す。
【００５９】
図７は、基地局が一つのアンテナポートを使用する場合、図８は、基地局が２個のアンテナポートを使用する場合、図９は、基地局が４個のアンテナポートを使用する場合にＣＲＳがＲＢにマッピングされるパターンの一例を示す。また、前記ＣＲＳパターンは、ＬＴＥ−Ａの特徴をサポートするために使われることもできる。例えば、協力的多重支店（ＣｏＭＰ；ｃｏｏｒｄｉｎａｔｅｄ  ｍｕｌｔｉ−ｐｏｉｎｔ）送信受信技法又は空間多重化（ｓｐａｔｉａｌ  ｍｕｌｔｉｐｌｅｘｉｎｇ）などの特徴をサポートするために使われることができる。また、ＣＲＳは、チャネル品質測定、ＣＰ検出、時間／周波数同期化などの用途で使われることができる。
【００６０】
図７乃至図９を参照すると、基地局が複数のアンテナポートを使用する多重アンテナ送信の場合、アンテナポート毎に一つのリソースグリッドがある。‘Ｒ０’は第１のアンテナポートに対する参照信号を示し、‘Ｒ１’は第２のアンテナポートに対する参照信号を示し、‘Ｒ２’は第３のアンテナポートに対する参照信号を示し、‘Ｒ３’は第４のアンテナポートに対する参照信号を示す。Ｒ０乃至Ｒ３のサブフレーム内の位置は、互いに重複しない。ｌは、スロット内のＯＦＤＭシンボルの位置であり、ノーマルＣＰで、lは０〜６の値を有する。一つのＯＦＤＭシンボルで各アンテナポートに対する参照信号は、６副搬送波間隔に位置する。サブフレーム内のＲ０の数とＲ１の数は同じであり、Ｒ２の数とＲ３の数は同じである。サブフレーム内のＲ２、Ｒ３の数は、Ｒ０、Ｒ１の数より少ない。一アンテナポートの参照信号に使われたリソース要素は、他のアンテナの参照信号に使われない。アンテナポート間干渉を与えないためである。
【００６１】
ＣＲＳは、ストリームの個数に関係なく常にアンテナポートの個数ほど送信される。ＣＲＳは、アンテナポート毎に独立的な参照信号を有する。ＣＲＳのサブフレーム内の周波数領域の位置及び時間領域の位置は、端末に関係なく決められる。ＣＲＳにかけられるＣＲＳシーケンスも端末に関係なく生成される。したがって、セル内の全ての端末は、ＣＲＳを受信することができる。ただし、ＣＲＳのサブフレーム内の位置及びＣＲＳシーケンスは、セルＩＤによって決められることができる。ＣＲＳのサブフレーム内の時間領域内の位置は、アンテナポートの番号、リソースブロック内のＯＦＤＭシンボルの個数によって決められることができる。ＣＲＳのサブフレーム内の周波数領域の位置は、アンテナの番号、セルＩＤ、ＯＦＤＭシンボルインデックス（ｌ）、無線フレーム内のスロット番号などによって決められることができる。
【００６２】
ＣＲＳシーケンスは、一つのサブフレーム内のＯＦＤＭシンボル単位に適用されることができる。ＣＲＳシーケンスは、セルＩＤ、一つの無線フレーム内のスロット番号、スロット内のＯＦＤＭシンボルインデックス、ＣＰの種類などによって変わることができる。一つのＯＦＤＭシンボル上で各アンテナポート別参照信号副搬送波の個数は、２個である。サブフレームが周波数領域でＮＲＢ個のリソースブロックを含むとする時、一つのＯＦＤＭシンボル上で各アンテナ別参照信号副搬送波の個数は、２×ＮＲＢである。したがって、ＣＲＳシーケンスの長さは、２×ＮＲＢとなる。
【００６３】
数式１は、ＣＲＳシーケンスｒ（ｍ）の一例を示す。
【００６４】
【数１】
0005663700.tif 000002
【００６５】
ここで、ｍは、０，１，．．．，２ＮＲＢｍａｘ−１である。２ＮＲＢｍａｘは、最大帯域幅に該当するリソースブロックの個数である。例えば、３ＧＰＰ  ＬＴＥにおいて、２ＮＲＢｍａｘは、１１０である。ｃ（ｉ）は、ＰＮシーケンスとして疑似任意シーケンスであり、長さ−３１のゴールド（Ｇｏｌｄ）シーケンスにより定義されることができる。数式２は、ゴールドシーケンスｃ（ｎ）の一例を示す。
【００６６】
【数２】
0005663700.tif 000003
【００６７】
ここで、Ｎｃ＝１６００であり、ｘ１（ｉ）は第１のｍ−シーケンスであり、ｘ２（ｉ）は第２のｍ−シーケンスである。例えば、第１のｍ−シーケンス又は第２のｍ−シーケンスは、ＯＦＤＭシンボル毎にセルＩＤ、一つの無線フレーム内のスロット番号、スロット内のＯＦＤＭシンボルインデックス、ＣＰの種類などによって初期化（ｉｎｉｔｉａｌｉｚａｔｉｏｎ）されることができる。
【００６８】
２ＮＲＢｍａｘより小さい帯域幅を有するシステムの場合、２×２ＮＲＢｍａｘ長さで生成された参照信号シーケンスで２×ＮＲＢ長さで一定部分のみを選択して使用することができる。
【００６９】
周波数ホッピング（ｆｒｅｑｕｅｎｃｙ  ｈｏｐｐｉｎｇ）がＣＲＳに適用されることができる。周波数ホッピングパターンは、一つの無線フレーム（１０ｍｓ）を周期にすることができ、各周波数ホッピングパターンは、一つのセルＩＤグループ（ｃｅｌｌ  ｉｄｅｎｔｉｔｙ  ｇｒｏｕｐ）に対応される。
【００７０】
ＰＤＳＣＨ送信をサポートする搬送波（ｃａｒｒｉｅｒ）上の無線フレーム内で少なくとも一つのダウンリンクサブフレームが上位階層（ｈｉｇｈｅｒ  ｌａｙｅｒ）によってＭＢＳＦＮサブフレームで構成されることができる。各ＭＢＳＦＮサブフレームは、非ＭＢＳＦＮ領域とＭＢＳＦＮ領域とに分けられることができる。非ＭＢＳＦＮ領域は、ＭＢＳＦＮサブフレーム内で初めの１個又は２個のＯＦＤＭシンボルを占めることができる。非ＭＢＳＦＮ領域での送信は、無線フレーム内の第１のサブフレーム（サブフレーム＃０）で使われるものと同一なＣＰに基づいて実行されることができる。ＭＢＳＦＮ領域は、非ＭＢＳＦＮ領域として使われないＯＦＤＭシンボルに定義されることができる。ＭＢＳＦＮ参照信号は、ＰＭＣＨ（ｐｈｙｓｉｃａｌ  ｍｕｌｔｉｃａｓｔ  ｃｈａｎｎｅｌ）が送信される場合にのみ送信され、アンテナポート４上に送信される。ＭＢＳＦＮ参照信号は、拡張ＣＰでのみ定義されることができる。
【００７１】
ＤＭＲＳは、ＰＤＳＣＨ送信のためにサポートされ、アンテナポートｐ＝５、ｐ＝７、８又はｐ＝７，８，．．．，ｖ＋６上に送信される。このとき、ｖは、ＰＤＳＣＨ送信に使われるレイヤの個数を示す。ＤＭＲＳは、集合Ｓ内にあるいずれか一つのアンテナポート上に一つの端末に送信される。このとき、Ｓ＝｛７，８，１１，１３｝又はＳ＝｛９，１０，１２，１４｝である。ＤＭＲＳは、ＰＤＳＣＨの送信が対応されるアンテナポートと関連する（ａｓｓｏｃｉａｔｅｄ）場合にのみＰＤＳＣＨの復調のために存在して有効である。ＤＭＲＳは、対応されるＰＤＳＣＨがマッピングされるＲＢでのみ送信される。ＤＭＲＳは、アンテナポートに関係なく物理チャネル又は物理信号のうちいずれか一つが送信されるリソース要素では送信されない。ＤＭＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の６．１０．３節を参照することができる。
【００７２】
図１０は、ＤＭＲＳがマッピングされるＲＢの一例を示す。
【００７３】
図１０は、ノーマルＣＰ構造でＤＭＲＳのために使われるリソース要素を示す。Ｒｐは、アンテナポートｐ上のＤＭＲＳ送信に使われるリソース要素を示す。例えば、Ｒ５は、アンテナポート５に対するＤＭＲＳが送信されるリソース要素を指示する。また、図１０を参照すると、アンテナポート７及び８に対するＤＭＲＳは、各スロットの６番目及び７番目のＯＦＤＭシンボル（ＯＦＤＭシンボルインデックス５、６）の１番目、６番目、及び１１番目の副搬送波（副搬送波インデックス０、５、１０）に該当するリソース要素を介して送信される。アンテナポート７及び８に対するＤＭＲＳは、長さ２の直交シーケンスによって区分されることができる。アンテナポート９及び１０に対するＤＭＲＳは、各スロットの６番目及び７番目のＯＦＤＭシンボル（ＯＦＤＭシンボルインデックス５、６）の２番目、７番目、及び１２番目の副搬送波（副搬送波インデックス１、６、１１）に該当するリソース要素を介して送信される。アンテナポート９及び１０に対するＤＭＲＳは、長さ２の直交シーケンスによって区分されることができる。また、Ｓ＝｛７，８，１１，１３｝又はＳ＝｛９，１０，１２，１４｝であるため、アンテナポート１１及び１３に対するＤＭＲＳは、アンテナポート７及び８に対するＤＭＲＳがマッピングされるリソース要素にマッピングされ、アンテナポート１２及び１４に対するＤＭＲＳは、アンテナポート９及び１０に対するＤＭＲＳがマッピングされるリソース要素にマッピングされる。
【００７４】
ＣＳＩ  ＲＳは、１個、２個、４個又は８個のアンテナポートを介して送信される。このとき、使われるアンテナポートは、各々、ｐ＝１５、ｐ＝１５、１６、ｐ＝１５，．．．，１８、及びｐ＝１５，．．．，２２である。ＣＳＩ  ＲＳは、Δｆ＝１５ｋＨｚに対してのみ定義されることができる。ＣＳＩ  ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の６．１０．５節を参照することができる。
【００７５】
ＣＳＩ  ＲＳの送信において、異種ネットワーク（ＨｅｔＮｅｔ；ｈｅｔｅｒｏｇｅｎｅｏｕｓ  ｎｅｔｗｏｒｋ）環境を含んでマルチセル環境でセル間干渉（ＩＣＩ；ｉｎｔｅｒ−ｃｅｌｌ  ｉｎｔｅｒｆｅｒｅｎｃｅ）を減らすために最大３２個の互いに異なる構成（ｃｏｎｆｉｇｕｒａｔｉｏｎ）が提案されることができる。ＣＳＩ  ＲＳ構成は、セル内のアンテナポートの個数及びＣＰによって互いに異なり、隣接したセルは、最大限異なる構成を有することができる。また、ＣＳＩ  ＲＳ構成は、フレーム構造によってＦＤＤフレームとＴＤＤフレームの両方とも適用する場合と、ＴＤＤフレームにのみ適用する場合と、に分けられることができる。一つのセルで複数のＣＳＩ  ＲＳ構成が使われることができる。ｎｏｎ−ｚｅｒｏ送信パワーを仮定する端末に対して０個又は１個のＣＳＩ構成が、ｚｅｒｏ送信パワーを仮定する端末に対して０個又は複数個のＣＳＩ構成が使われることができる。端末は、ＴＤＤフレームの特殊サブフレーム（ｓｐｅｃｉａｌ  ｓｕｂｆｒａｍｅ）、ＣＳＩ  ＲＳの送信が同期化信号（ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔ  ｃｈａｎｎｅｌ）、システム情報ブロックタイプ１（Ｓｙｓｔｅｍ  Ｉｎｆｏｒｍａｔｉｏｎ  Ｂｌｏｃｋ  Ｔｙｐｅ１）と衝突するサブフレーム又はページングメッセージが送信されるサブフレームではＣＳＩ  ＲＳを送信しない。また、Ｓ＝｛１５｝、Ｓ＝｛１５，１６｝、Ｓ＝｛１７，１８｝、Ｓ＝｛１９，２０｝又はＳ＝｛２１，２２｝である集合Ｓで、一つのアンテナポートのＣＳＩ  ＲＳが送信されるリソース要素は、ＰＤＳＣＨや他のアンテナポートのＣＳＩ  ＲＳの送信に使われない。
【００７６】
図１１は、ＣＳＩ  ＲＳがマッピングされるＲＢの一例を示す。
【００７７】
図１１は、ノーマルＣＰ構造でＣＳＩ  ＲＳのために使われるリソース要素を示す。Ｒｐは、アンテナポートｐ上のＣＳＩ  ＲＳ送信に使われるリソース要素を示す。図１４を参照すると、アンテナポート１５及び１６に対するＣＳＩ  ＲＳは、第１のスロットの６番目及び７番目のＯＦＤＭシンボル（ＯＦＤＭシンボルインデックス５、６）の３番目の副搬送波（副搬送波インデックス２）に該当するリソース要素を介して送信される。アンテナポート１７及び１８に対するＣＳＩ  ＲＳは、第１のスロットの６番目及び７番目のＯＦＤＭシンボル（ＯＦＤＭシンボルインデックス５、６）の９番目の副搬送波（副搬送波インデックス８）に該当するリソース要素を介して送信される。アンテナポート１９及び２０に対するＣＳＩ  ＲＳは、アンテナポート１５及び１６に対するＣＳＩ  ＲＳが送信される同一リソース要素を介して、アンテナポート２１及び２２に対するＣＳＩ  ＲＳは、アンテナポート１７及び１８に対するＣＳＩ  ＲＳが送信される同一リソース要素を介して送信される。
【００７８】
一方、ＲＢをＰＤＳＣＨに割り当てるにあたって、分散されるように割り当て、又は連続されるように割り当てることができる。周波数領域内で順序通りにインデキシングされたＲＢを物理ＲＢ（ＰＲＢ；ｐｈｙｓｉｃａｌ  ＲＢ）といい、ＰＲＢを再びマッピングして得られたＲＢを仮想ＲＢ（ＶＲＢ；ｖｉｒｔｕａｌ  ＲＢ）という。仮想ＰＲＢを割り当てるにあたって、二つの割当タイプがサポートされることができる。局所タイプ（ｌｏｃａｌｉｚｅｄ  ｔｙｐｅ）ＶＲＢは、周波数領域内で順序通りにインデキシングされたＰＲＢを１対１に直接マッピング（ｄｉｒｅｃｔ  ｍａｐｐｉｎｇ）して得られることができる。分散タイプ（ｄｉｓｔｒｉｂｕｔｅｄ  ｔｙｐｅ）ＶＲＢは、ＰＲＢを特定規則によって分散及びインターリービング（ｉｎｔｅｒｌｅａｖｉｎｇ）してマッピングして得られることができる。ＶＲＢのタイプを指示するために、ＰＤＳＣＨを割り当てるためにＰＤＣＣＨを介して送信されるＤＣＩフォーマット１Ａ、１Ｂ、１Ｃ、及び１Ｄは、Ｌｏｃａｌｉｚｅｄ／Ｄｉｓｔｒｉｂｕｔｅｄ  ＶＲＢ  ａｓｓｉｇｎｍｅｎｔ  ｆｌａｇを含む。Ｌｏｃａｌｉｚｅｄ／Ｄｉｓｔｒｉｂｕｔｅｄ  ＶＲＢ  ａｓｓｉｇｎｍｅｎｔ  ｆｌａｇを介してＶＲＢが局所タイプであるか、分散タイプであるかが指示されることができる。
【００７９】
以下、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）に対して説明する。
【００８０】
図１２は、ＰＣＦＩＣＨ、ＰＤＣＣＨ、及びＰＤＳＣＨがサブフレームにマッピングされる一例を示す。
【００８１】
３ＧＰＰ  ＬＴＥは、端末を制御するダウンリンク制御信号を送信するためにＰＤＣＣＨを割り当てる。複数の端末のＰＤＣＣＨがマッピングされる領域をＰＤＣＣＨ領域又は制御領域という。ＰＣＦＩＣＨは、サブフレーム内でＰＤＣＣＨを割り当てるために使われるＯＦＤＭシンボルの個数に対する情報を伝送する。ＰＤＣＣＨが割り当てられるＯＦＤＭシンボルの個数に対する情報を制御フォーマット指示子（ＣＦＩ；ｃｏｎｔｒｏｌ  ｆｏｒｍａｔ  ｉｎｄｉｃａｔｏｒ）という。セル内の全ての端末は、ＰＤＣＣＨが割り当てられる領域を探索しなければならず、これによって、ＣＩＦは、セル特定（ｃｅｌｌ−ｓｐｅｃｉｆｉｃ）の値に設定されることができる。一般的にＰＤＣＣＨが割り当てられる制御領域は、ダウンリンクサブフレームの最前方のＯＦＤＭシンボルに割り当てられ、ＰＤＣＣＨは、最大３個のＯＦＤＭシンボルに割り当てられることができる。
【００８２】
図１２を参照すると、ＣＩＦが３に設定され、これによって、ＰＤＣＣＨは、サブフレーム内で前方部の３個のＯＦＤＭシンボル内に割り当てられる。端末は、制御領域内で自分のＰＤＣＣＨを検出し、該当制御領域で検出したＰＤＣＣＨを介して自分のＰＤＳＣＨを探索することができる。
【００８３】
従来のＰＤＣＣＨは、一定領域内で送信ダイバーシティ（ｔｒａｎｓｍｉｓｓｉｏｎ  ｄｉｖｅｒｓｉｔｙ）を利用してのみ送信され、ビーム形成（ｂｅａｍｆｏｒｍｉｎｇ）、ＭＵ（ｍｕｌｔｉｕｓｅｒ）−ＭＩＭＯ（ｍｕｌｔｉｐｌｅ−ｉｎｐｕｔ  ｍｕｌｔｉｐｌｅ−ｏｕｔｐｕｔ）、最適帯域選択（ｂｅｓｔ  ｂａｎｄ  ｓｅｌｅｃｔｉｏｎ）等、ＰＤＳＣＨにサポートされる多様な技法は適用されない。また、システム性能の向上のために、分散多重ノードシステムが導入される場合、複数のノード又は複数のＲＲＨのセルＩＤが同一の場合、ＰＤＣＣＨの容量が足りなくなる問題が発生することができる。これによって、既存のＰＤＣＣＨ外に新たな制御チャネルが導入されることができる。以下の説明で新たに定義される制御チャネルをｅ−ＰＤＣＣＨ（ｅｎｈａｎｃｅｄ  ＰＤＣＣＨ）という。ｅ−ＰＤＣＣＨは、ＰＤＣＣＨが割り当てられる既存の制御領域でないデータ領域に割り当てられることができる。ｅ−ＰＤＣＣＨが定義されることで、各端末別に各ノードに対する制御信号を送信することができ、既存のＰＤＣＣＨ領域が足りなくなる問題を解決することができる。
【００８４】
ＰＤＣＣＨが割り当てられる制御領域がＰＣＦＩＣＨによって指示されることと同様に、ｅ−ＰＤＣＣＨが割り当てられる領域を指示する新たなチャネルが定義されることができる。即ち、ｅ−ＰＤＣＣＨが割り当てられる領域を指示するｅ−ＰＣＦＩＣＨ（ｅｎｈａｎｃｅｄ  ＰＣＦＩＣＨ）が新たに定義されることができる。ｅ−ＰＣＦＩＣＨは、ｅ−ＰＤＣＣＨを検出するために必要な一部又は全ての情報を伝送することができる。ｅ−ＰＤＣＣＨは、既存の制御領域内の共通探索領域（ＣＳＳ；ｃｏｍｍｏｎ  ｓｅａｒｃｈ  ｓｐａｃｅ）に割り当てられ、又はデータ領域に割り当てられることができる。
【００８５】
図１３は、ｅ−ＰＤＣＣＨを介したリソース割当の一例を示す。
【００８６】
ｅ−ＰＤＣＣＨは、既存の制御領域でないデータ領域の一部に割り当てられることができる。ｅ−ＰＤＣＣＨは、既存のレガシー端末には提供されず、３ＧＰＰ  ＬＴＥ  ｒｅｌ−１１をサポートする端末（以下、ｒｅｌ−１１端末）が探索できる。ｒｅｌ−１１端末は、自分のｅ−ＰＤＣＣＨ検出のためのブラインドデコーディング（ｂｌｉｎｄ  ｄｅｃｏｄｉｎｇ）を実行する。ｅ−ＰＤＣＣＨを検出するための最小限の領域情報は、新たに定義されるｅ−ＰＣＦＩＣＨ又は既存のＰＤＣＣＨを介して送信されることができる。データ領域に割り当てられたｅ−ＰＤＣＣＨによってＰＤＳＣＨがスケジューリングされることができる。基地局は、スケジューリングされたＰＤＳＣＨを介して各端末にダウンリンクデータを送信することができる。ただし、各ノードに接続した端末の数が増加すると、ｅ−ＰＤＣＣＨがデータ領域内で占める部分が大きくなるようになる。これによって、端末が実行しなければならないブラインドデコーディングの数も増加するようになり、複雑度が高まることができるという短所が存在する。
【００８７】
一方、最近、中継局（ＲＳ；ｒｅｌａｙ  ｓｔａｔｉｏｎ）を含む無線通信システムが開発されている。中継局は、セルカバレッジを拡張させて送信性能を向上させる役割をする。基地局が基地局のカバレッジ境界に位置した端末を中継局を介してサービスすることによってセルカバレッジを拡張させる効果を得ることができる。また、中継局が基地局と端末との間で信号の送信信頼性を向上させることによって送信容量を増加させることができる。端末が基地局のカバレッジ内にあるとしても陰影地域に位置した場合に中継局を利用することもできる。基地局と中継器との間のアップリンク及びダウンリンクは、バックホールリンク（ｂａｃｋｈａｕｌ  ｌｉｎｋ）であり、基地局と端末又は中継器と端末との間のアップリンク及びダウンリンクは、アクセスリンク（ａｃｃｅｓｓ  ｌｉｎｋ）である。以下、バックホールリンクを介して送信される信号をバックホール信号といい、アクセスリンクを介して送信される信号をアクセス信号という。
【００８８】
中継局を含む無線通信システムにおいて、中継領域（ｒｅｌａｙ  ｚｏｎｅ）が定義されることができる。中継領域は、基地局が送信するダウンリンクサブフレーム内に中継局のための制御チャネル（以下、Ｒ−ＰＤＣＣＨ）又は中継局のためのデータチャネル（以下、Ｒ−ＰＤＳＣＨ）の送信が行われる区間を意味する。即ち、ダウンリンクサブフレーム内にバックホール（ｂａｃｋｈａｕｌ）送信が行われる区間である。
【００８９】
図１４は、ＲＢに割り当てられるＲ−ＰＤＣＣＨの一例を示す。
【００９０】
図１４を参照すると、ＲＢ内の第１のスロットにはＤＬグラントのみが割り当てられ、第２のスロットにはＵＬグラント又はＰＤＳＣＨが割り当てられることができる。このとき、制御領域、ＣＲＳ、及びＤＭＲＳがマッピングされるリソース要素を除いた残りのリソース要素にＲ−ＰＤＣＣＨが割り当てられることができる。Ｒ−ＰＤＣＣＨの復調にはＣＲＳ、ＤＭＲＳの両方ともが使われることができる。Ｒ−ＰＤＣＣＨの復調にＤＭＲＳが使われる場合、アンテナポート７とスクランブリングＩＤ（ＳＣＩＤ；ｓｃｒａｍｂｌｉｎｇ  ＩＤ）＝０が使われることができる。一方、Ｒ−ＰＤＣＣＨの復調にＣＲＳが使われるとき、ＰＢＣＨ送信アンテナが１個である場合にのみアンテナポート０を使用し、ＰＢＣＨ送信アンテナが２個又は４個である場合には送信ダイバーシティ（Ｔｘ  ｄｉｖｅｒｓｉｔｙ）モードに切り替えてアンテナポート０〜１又は０〜３を全部使用することができる。
【００９１】
多重ノードシステムのために新たに定義されたｅ−ＰＤＣＣＨを割り当てるにあたって、図１４で説明された既存のＲ−ＰＤＣＣＨの構造を再使用することができる。即ち、ＲＢ内の第１のスロットにはＤＬグラントのみが割り当てられ、第２のスロットにはＵＬグラント又はＰＤＳＣＨが割り当てられることができる。また、制御領域、ＣＲＳ及びＤＭＲＳがマッピングされるリソース要素を除いた残りのリソース要素にｅ−ＰＤＣＣＨが割り当てられることができる。既存の構造をそのまま使用することによって既存標準に大きい影響を及ぼさずにｅ−ＰＤＣＣＨを割り当てることができる。
【００９２】
図１５は、ＲＢに割り当てられるｅ−ＰＤＣＣＨの一例を示す。
【００９３】
図１５を参照すると、ｅ−ＰＤＣＣＨがＲＢ内の第１のスロットと第２のスロットの両方ともに構成される場合を仮定する。第１のスロットに割り当てられたｅ−ＰＤＣＣＨにはＤＬグラントのみが割り当てられ、第２のスロットに割り当てられたｅ−ＰＤＣＣＨにはＵＬグラントが割り当てられることができる。ＤＬグラントは、端末に対するダウンリンク制御情報を送信するＤＣＩフォーマット（ＤＣＩフォーマット１、１Ａ、１Ｂ、１Ｃ、１Ｄ、２、２Ａ等）を示し、ＵＬグラントは、端末に対するアップリンク制御情報を送信するＤＣＩフォーマット（ＤＣＩフォーマット０、４）を示す。ＲＢ内でスロット別に検出しなければならないＤＬグラントとＵＬグラントが分けられているため、端末は、第１のスロットに探索領域を構成してＤＬグラントを検出するためのブラインドデコーディングを実行し、また、第２のスロットに探索領域を構成してＵＬグラントを検出するためのブラインドデコーディングを実行する。
【００９４】
一方、３ＧＰＰ  ＬＴＥにおいて、ＤＬ送信モード（１〜９）及びＵＬ送信モード（１〜２）が存在する。ＤＬとＵＬに対して各々一つの送信モードが上位階層シグナリングを介して端末別に割り当てられることができる。ＤＬ送信モードでは各送信モード別に各端末が検出しなければならないＤＣＩフォーマットが２個ずつ存在する。これによって、端末がＤＬグラントを検出するために実行すべきブラインドデコーディングの数は、１６＊２＝３２である。ＵＬ送信モードでは各送信モード別に各端末が検出しなければならないＤＣＩフォーマットが１個又は２個である。例えば、ＵＬ送信モードが１の場合、端末は、ＤＣＩフォーマット０のみを検出し、ＵＬ送信モードが２の場合、端末は、ＤＣＩフォーマット０及び４を検出する。したがって、端末がＵＬグラントを検出するために実行すべきブラインドデコーディングの数は、ＵＬ送信モードが１の場合、１６＊１＝１６となり、ＵＬ送信モードが２の場合、１６＊２＝３２となる。
【００９５】
図１６は、ＲＢに割り当てられるｅ−ＰＤＣＣＨの他の例を示す。
【００９６】
図１６を参照すると、ｅ−ＰＤＣＣＨがＲＢ内の第１のスロットにのみ構成される場合を仮定する。即ち、第１のスロットに割り当てられたｅ−ＰＤＣＣＨにＤＬグラントとＵＬグラントが同時に割り当てられることができる。したがって、第１のスロットのｅ−ＰＤＣＣＨにはＤＬグラントとＵＬグラントが同時に存在する。端末は、第１のスロットに探索領域を構成してＤＬグラント及びＵＬグラントを検出するためのブラインドデコーディングを実行する。前述したように、ＤＬとＵＬに対して各々一つの送信モードが上位階層シグナリングを介して端末別に割り当てられることができる。ＤＬ送信モードでは各送信モード別に各端末が検出しなければならないＤＣＩフォーマットが２個ずつ存在し、全てのＤＬ送信モードは、フォールバック（ｆａｌｌ−ｂａｃｋ）モードをサポートするためにＤＣＩフォーマット１Ａを基本的に含む。端末がＤＬグラントを検出するために実行すべきブラインドデコーディングの数は、１６＊２＝３２である。ＵＬ送信モードでは各送信モード別に各端末が検出しなければならないＤＣＩフォーマットが１個又は２個である。ＵＬ送信モードが１の場合、端末は、ＤＣＩフォーマット０のみを検出し、ＵＬ送信モードが２の場合、端末は、ＤＣＩフォーマット０及び４を検出する。しかし、ＤＣＩフォーマット０は、ＤＣＩフォーマット１Ａと同一長さを有し、１ビットのフラグ（ｆｌａｇ）を介して区分することができるため、追加的なブラインドデコーディングが必要でない。したがって、端末がＵＬグラントを検出するために実行すべきブラインドデコーディングの数は、ＵＬ送信モードが１の場合、０となり、ＵＬ送信モードが１の場合、１６＊１＝１６となる。
【００９７】
図１７は、ＲＢに割り当てられるｅ−ＰＤＣＣＨの他の例を示す。
【００９８】
図１７を参照すると、各端末のｅ−ＰＤＣＣＨが時間領域又は周波数領域で多重化される。即ち、共通ＰＲＢ集合が設定された状態で各端末のｅ−ＰＤＣＣＨが時間領域又は周波数領域にクロスインターリービング（ｃｒｏｓｓ−ｉｎｔｅｒｌｅａｖｉｎｇ）される。図１７−（ａ）は、ｅ−ＰＤＣＣＨがＲＢの第１のスロット及び第２のスロットに割り当てられた場合であり、図１７−（ｂ）は、ｅ−ＰＤＣＣＨがＲＢの第１のスロットにのみ割り当てられた場合である。図１７において、各端末のｅ−ＰＤＣＣＨが複数個に分けられて  割り当てられることを確認することができる。これによって、時間領域又は周波数領域でダイバーシティ利得（ｄｉｖｅｒｓｉｔｙ  ｇａｉｎ）を得ることができる。
【００９９】
図１８は、ＲＢに割り当てられるｅ−ＰＤＣＣＨの他の例を示す。
【０１００】
図１８を参照すると、ｅ−ＰＤＣＣＨが割り当てられる領域は、各端末のｅ−ＰＤＣＣＨが時間領域又は周波数領域にクロスインターリービングされるインターリービング領域と、各端末のｅ−ＰＤＣＣＨがクロスインターリービングされない非インターリービング領域と、に分けられる。インターリービング領域では図１７で説明したように、各端末のｅ−ＰＤＣＣＨが時間領域又は周波数領域にクロスインターリービングされてダイバーシティ利得を得ることができる。ｅ−ＰＤＣＣＨのクロスインターリービング単位は、ＣＣＥ単位又はスロット単位である。ｅ−ＰＤＣＣＨの復調のために各領域に適するＤＭＲＳポートが割り当てられなければならず、これに対応されるＤＭＲＳシーケンスも設定される必要がある。ＤＭＲＳシーケンスは、物理セルＩＤ（ＰＣＩ；ｐｈｙｓｉｃａｌ  ｃｅｌｌ  ＩＤ）に基づいており、ｅ−ＰＤＣＣＨの多重化のためにＰＣＩ外にＣＳＩ  ＲＳ構成、専用シグナリング（ｄｅｄｉｃａｔｅｄ  ｓｉｇｎａｌｉｎｇ）などを利用して柔軟な（ｆｌｅｘｉｂｌｅ）ＰＣＩが追加に設定されることができる。
【０１０１】
または、ｅ−ＰＤＣＣＨは、共通探索領域のためのリソース領域と端末特定探索領域のためのリソース領域とに分けられて割り当てられることができる。または、ｅ−ＰＤＣＣＨは、複数のＲＮＴＩのうち、第１のＲＮＴＩ集合のためのリソース領域と第２のＲＮＴＩ集合のためのリソース領域とに分けられて割り当てられることができる。
【０１０２】
以下、ｅ−ＰＤＣＣＨを効率的に割り当てるための方法を説明する。特に、本発明は、複数の端末に効率的にｅ−ＰＤＣＣＨを割り当てるための方法を提案する。
【０１０３】
データ領域に割り当てられるｅ−ＰＤＣＣＨの探索領域を構成するにあたって、ＶＲＢ又はＰＲＢに一つのＣＣＥのみを割り当てるか、又は複数のＣＣＥを割り当てるかが考慮されることができる。ＣＣＥは、ＰＤＣＣＨを介して送信される情報ビットを構成する基本単位である。ＰＤＣＣＨの基本生成ビットが７２ビットであり、これはＱＰＳＫ変調によって３６ＱＰＳＫシンボルに変調されるため、ＣＣＥは３６個のリソース要素を占める。端末と基地局との間のリンク品質によって該当ＰＤＣＣＨを介して送信される情報ビットは、７２ビットの１、２、４又は８倍に設定され、各場合をＰＤＣＣＨの集約レベル１、２、４及び８という。ｅ−ＰＤＣＣＨが導入されることで、既存に使われたＣＣＥの代わりにｅ−ＰＤＣＣＨの情報ビットを構成する基本単位であるｅ−ＣＣＥが新たに導入されることもできる。ｅ−ＣＣＥは、ＣＣＥと異なる個数のリソース要素を占めることができ、ＣＣＥと同様に集約レベル１、２、４及び８をサポートすることができる。以下の説明で、ＣＣＥは、既存のＰＤＣＣＨのためのＣＣＥとｅ−ＰＤＣＣＨのためのｅ−ＣＣＥの両方ともを含むと仮定する。また、複数の端末のｅ−ＰＤＣＣＨが一つのＲＢに多重化されるかどうかも考慮されることができる。
【０１０４】
まず、ｅ−ＰＤＣＣＨのために、一つ又は一つ以下のＣＣＥを割り当てる方法を説明する。一つのＶＲＢ、ＰＲＢ又はＰＲＢ対（ｐａｉｒ）に一つ又は一つ以下のＣＣＥが割り当てられる。一つのＲＢにｅ−ＰＤＣＣＨの割当のために、一つのＣＣＥ、即ち、３６個のリソース要素が確保される場合、集約レベル１、２、４及び８に対する探索領域を構成するにあたって、１、２、４及び８個のＲＢで探索領域を構成することができる。
【０１０５】
ｅ−ＰＤＣＣＨは、ＲＢでＣＲＳ、ＤＭＲＳ、ＣＳＩ  ＲＳの送信に使われるリソース要素及びＰＤＣＣＨが割り当てられることができる制御領域内のリソース要素を除いて割り当てられることができる。また、ｅ−ＰＤＣＣＨは正確なチャネル推定が可能であるため、復調に容易なリソース要素に割り当てられることが好ましい。即ち、最も適したｅ−ＰＤＣＣＨの割り当て位置は、ＤＭＲＳ付近のリソース要素である。しかし、設定によってＣＲＳを利用してｅ−ＰＤＣＣＨのためのチャネル推定を実行することもできる。
【０１０６】
図１９は、提案されたｅ−ＰＤＣＣＨ割当方法によってｅ−ＰＤＣＣＨがＲＢにマッピングされる一例を示す。
【０１０７】
ｅ−ＰＤＣＣＨの復調のためのチャネル推定にＤＭＲＳが使われる場合、ｅ−ＰＤＣＣＨは、ＲＢ内でＤＭＲＳの送信に使われるＯＦＤＭシンボル内のリソース要素に割り当てられることができる。これはＶＲＢ割当タイプが局所タイプであるか、分散タイプであるかに関係なく適用されることができる。図１９−（ａ）は、ＤＭＲＳポート７、８、１１、及び１３のうち少なくとも一つのアンテナポートを使用してｅ−ＰＤＣＣＨを復調する場合を示す。ｅ−ＰＤＣＣＨは、各スロットの６番目及び７番目のＯＦＤＭシンボル（ＯＦＤＭシンボルインデックス５、６）でＤＭＲＳが送信されることができるリソース要素を除いた残りのリソース要素に割り当てられることができる。図１９−（ｂ）は、ＤＭＲＳポート９、１０、１２、及び１４のうち少なくとも一つのアンテナポートを使用してｅ−ＰＤＣＣＨを復調する場合を示す。ｅ−ＰＤＣＣＨは、各スロットの６番目及び７番目のＯＦＤＭシンボル（ＯＦＤＭシンボルインデックス５、６）でＤＭＲＳが送信されることができるリソース要素を除いた残りのリソース要素に割り当てられることができる。図１９の各々の場合、ｅ−ＰＤＣＣＨは、３６個のリソース要素、即ち、１個のＣＣＥを占める。
【０１０８】
図２０は、提案されたｅ−ＰＤＣＣＨ割当方法によってｅ−ＰＤＣＣＨがＲＢにマッピングされる他の例を示す。
【０１０９】
ｅ−ＰＤＣＣＨの復調のためのチャネル推定にＤＭＲＳが使われる場合、ｅ−ＰＤＣＣＨは、ＲＢ内でＤＭＲＳの送信に使われるＯＦＤＭシンボル内のリソース要素及びその付近のリソース要素に割り当てられることができる。ｅ−ＰＤＣＣＨは、ＤＭＲＳの送信に使われるＯＦＤＭシンボルである各スロットの６番目及び７番目のＯＦＤＭシンボル（ＯＦＤＭシンボルインデックス５、６）でＤＭＲＳの送信に使われることができる全てのリソース要素を除いて残りの２４個のリソース要素を占めることができる。即ち、ｅ−ＰＤＣＣＨは、各スロットの６番目及び７番目のＯＦＤＭシンボル（ＯＦＤＭシンボルインデックス５、６）の３番目、４番目、５番目、８番目、９番目、及び１０番目の副搬送波（副搬送波インデックス２、３、４、７、８、９）に該当するリソース要素に割り当てられることができる。また、ＤＭＲＳの送信に使われるＯＦＤＭシンボルの隣接のＯＦＤＭシンボルに割り当てられることができる。即ち、ｅ−ＰＤＣＣＨは、図２０において、１〜１２のリソース要素集合のうち一部リソース要素集合に割り当てられることができる。ｅ−ＰＤＣＣＨが１２個のリソース要素集合のうち６個のリソース要素集合に割り当てられる場合、ｅ−ＰＤＣＣＨは、総３６個のリソース要素、即ち、１個のＣＣＥを占めることができる。例えば、図２０において、リソース要素集合１、２、３、５、６、及び７にｅ−ＰＤＣＣＨが割り当てられることができる。６個のリソース要素集合が選択される時、３個のリソース要素集合は第１のスロットから選択され、残りの３個のリソース要素集合は第２のスロットから選択されることができる。
【０１１０】
または、図２０において、ｅ−ＰＤＣＣＨは、ＲＢ内でＤＭＲＳの送信に使われるＯＦＤＭシンボル内のリソース要素にのみ割り当てられることができる。即ち、ｅ−ＰＤＣＣＨは、一つのＲＢ内で２４個のリソース要素のみを占めることができる。即ち、一つのＲＢで１個のＣＣＥを送信することができないため、２個のＲＢで１個のＣＣＥが送信される。端末は、集約レベル１、２、４、及び８のｅ−ＰＤＣＣＨを２、３、６、及び１２個のＲＢで検出してデコーディングすることができる。
【０１１１】
図２１は、提案されたｅ−ＰＤＣＣＨ割当方法によってｅ−ＰＤＣＣＨがＲＢにマッピングされる他の例を示す。
【０１１２】
ｅ−ＰＤＣＣＨの復調のためのチャネル推定にＣＲＳとＤＭＲＳの両方ともが使われる場合、ｅ−ＰＤＣＣＨは、ＣＲＳ及びＤＭＲＳの送信に使われないＯＦＤＭシンボルに割り当てられることができる。一つのＲＢ内で１個のＣＣＥを占めるｅ−ＰＤＣＣＨを構成するために、３個以上のＯＦＤＭシンボルが必要である。一方、セル内に端末の個数が少ない場合、ＰＤＣＣＨが割り当てられることができる制御領域は、３個のＯＦＤＭシンボルでない１個又は２個のＯＦＤＭシンボルに設定されることができる。図２１は、制御領域がＲＢ内で前方部の２個のＯＦＤＭシンボルを占める場合を示す。このとき、ｅ−ＰＤＣＣＨが割り当てられることができるＯＦＤＭシンボルは、各スロットの３番目及び４番目のＯＦＤＭシンボル（ＯＦＤＭシンボルインデックス２、３）である。ｅ−ＰＤＣＣＨは、総４個のＯＦＤＭシンボルのうち３個のＯＦＤＭシンボルに割り当てられることができる。図２１は、ｅ−ＰＤＣＣＨがＲＢ内で３番目、４番目、及び９番目のＯＦＤＭシンボルに割り当てられる場合を示す。
【０１１３】
図２２は、提案されたｅ−ＰＤＣＣＨ割当方法によってｅ−ＰＤＣＣＨがＲＢにマッピングされる他の例を示す。
【０１１４】
ｅ−ＰＤＣＣＨの復調のためのチャネル推定にＣＲＳとＤＭＲＳの両方ともが使われる場合、ｅ−ＰＤＣＣＨは、時間領域又は周波数領域で使用することができるリソース要素を順序に満たす方式に割り当てられることができる。即ち、ｅ−ＰＤＣＣＨが一つのＲＢ内で１個のＣＣＥを占める場合、ｅ−ＰＤＣＣＨは、ＣＲＳ、ＤＭＲＳ、及び制御領域に割り当てられないリソース要素に、時間領域又は周波数領域を基準に順序に割り当てられる。図２２において、制御領域は、ＲＢ内で前方部の２個のＯＦＤＭシンボルに割り当てられると仮定する。図２２−（ａ）において、ｅ−ＰＤＣＣＨは、時間領域を基準にして空いているリソース要素に順序に割り当てられる。即ち、ｅ−ＰＤＣＣＨは、空いている３番目及び４番目のＯＦＤＭシンボルに先に割り当てられ、５番目のＯＦＤＭシンボルでＣＲＳが割り当てられないリソース要素及び６番目のＯＦＤＭシンボルでＤＭＲＳに割り当てられないリソース要素に割り当てられる。図２２−（ｂ）において、ｅ−ＰＤＣＣＨは、周波数領域を基準にして空いているリソース要素に順序に割り当てられる。即ち、ｅ−ＰＤＣＣＨは、１番目乃至４番目の副搬送波でＣＲＳ、ＤＭＲＳ、及び制御領域に割り当てられないリソース要素に順序に割り当てられる。集約レベル２、４、及び８に対しては２ＲＢ、４ＲＢ、及び８ＲＢに同一に拡張されることができる。
【０１１５】
以下、ｅ−ＰＤＣＣＨのために、複数のＣＣＥを割り当てる方法を説明する。一つのＶＲＢ、ＰＲＢ又はＰＲＢ対（ｐａｉｒ）に複数のＣＣＥが割り当てられる。集約レベルが１、２、４、及び８である探索領域を構成するにあたって、与えられたＮ個のＲＢに複数のＣＣＥを割り当てることができるため、探索領域は、Ｎ個のＲＢとなる。Ｎは１以上であり、したがって、最小一つのＲＢに複数のＣＣＥが割り当てられることができる。
【０１１６】
図２３は、提案されたｅ−ＰＤＣＣＨ割当方法によってｅ−ＰＤＣＣＨに複数のＣＣＥが割り当てられる時、集約レベルによるｅ−ＰＤＣＣＨの探索領域構成の一例を示す。
【０１１７】
ｅ−ＰＤＣＣＨは、ＲＢでＣＲＳ、ＤＭＲＳ、ＣＳＩ  ＲＳの送信に使われるリソース要素及びＰＤＣＣＨが割り当てられることができる制御領域内のリソース要素を除いて割り当てられることができる。もし、制御領域がリソースブロックで前方部の２個のＯＦＤＭシンボルのみを占める場合、一つのＲＢでｅ−ＰＤＣＣＨに割り当てられることができるリソース要素の個数は、総１０４個となる。一つのＣＣＥが既存と同様に３６個のリソース要素を占めると仮定すると、集約レベル１、２では一つのＲＢのみが必要であり、集約レベル４では２個のＲＢが必要であり、集約レベル８では３個のＲＢが必要である。図２３において、便宜上、ＣＲＳ及びＤＭＲＳは省略された。もし、ｅ−ＰＤＣＣＨの探索領域を構成するにあたって、集約レベルを制限する場合、より少ないＲＢのみを探索してｅ−ＰＤＣＣＨを検出することができる。例えば、各端末のｅ−ＰＤＣＣＨの集約レベルを４以下に制限する場合、端末は、２ＲＢのみを探索してｅ−ＰＤＣＣＨを検出することができる。ＲＢ内にｅ−ＰＤＣＣＨを割り当てた後残ったリソース要素は、そのまま空けたりフィルタビット（ｆｉｌｔｅｒ  ｂｉｔ）で満たしたりすることができる。
【０１１８】
一方、一つのＶＲＢ、ＰＲＢ又はＰＲＢ対（ｐａｉｒ）に複数のＣＣＥが割り当てられる時、ＲＢ内の全てのリソース要素を利用することができる。前述したように、Ｎ個のＲＢに各集約レベルに対応される探索領域を構成することができる。
【０１１９】
図２４は、提案されたｅ−ＰＤＣＣＨ割当方法によって一つのＲＢ内のＣＣＥ割当のためのリソース分割の一例を示す。
【０１２０】
図２４は、一つのＲＢ内に集約レベル１、２、及び４のｅ−ＰＤＣＣＨの探索領域を構成する場合を示す。一つのＲＢは、４個のリソースに分けられ、集約レベルＬのｅ−ＰＤＣＣＨをＬ個のリソースに割り当てることができる。図２４において、第１のリソース（リソース＃０）はアンテナポート７、第２のリソース（リソース＃１）はアンテナポート８、第３のリソース（リソース＃２）はアンテナポート９、第４のリソース（リソース＃３）はアンテナポート１０に対応されることを例示したが、本発明はこれに制限されるものではない。端末は、各リソースに割り当てられたｅ−ＰＤＣＣＨの復調のために予め指定され、又は上位階層シグナリングにより知られたＤＭＲＳを利用することができる。一つのＲＢで実行されるブラインドデコーディングの回数は、総７回、即ち、集約レベル１で４回（リソース０、１、２、及び３に対して）、集約レベル２で２回（リソース０／１及び２／３に対して）、集約レベル４で１回（リソース０〜３に対して）実行されることができる。ｅ−ＰＤＣＣＨが割り当てられることができるＮ個のＲＢがある場合、端末は、各ＲＢ単位にブラインドデコーディングを実行することができる。
【０１２１】
図２４のリソース分割は、２個のＲＢ内に集約レベル１、２、４、及び８のｅ−ＰＤＣＣＨの探索領域を構成する場合にも適用されることができる。一つのＲＢは、４個のリソースに分けられ、集約レベルＬのｅ−ＰＤＣＣＨをＬ個のリソースに割り当てることができる。端末は、各リソースに割り当てられたｅ−ＰＤＣＣＨの復調のために予め指定され、又は上位階層シグナリングにより知られたＤＭＲＳを利用することができる。２個のＲＢで実行されるブラインドデコーディングの回数は、総１５回、即ち、集約レベル１で８回、集約レベル２で４回、集約レベル４で２回、集約レベル８で１回実行することができる。ｅ−ＰＤＣＣＨが割り当てられることができるＮ個のＲＢがある場合、端末は、各ＲＢ単位にブラインドデコーディングを実行することができる。例えば、４個のＲＢに探索領域が構成される場合、端末は、１番目と２番目のＲＢで１５回のブラインドデコーディングを実行し、また、３番目と４番目のＲＢで１５回のブラインドデコーディングを実行することができる。２個のＲＢ単位にブラインドデコーディングを実行し、１個のＲＢが残る場合、残りの一つのＲＢでは集約レベル１で４回、集約レベル２で２回、集約レベル４で１回のブラインドデコーディングが実行される。
【０１２２】
図２５は、提案されたｅ−ＰＤＣＣＨ割当方法によって一つのＲＢ内のＣＣＥ割当のためのリソース分割の他の例を示す。
【０１２３】
図２５は、２個のＲＢ内に集約レベル１、２、及び４のｅ−ＰＤＣＣＨの探索領域を構成する場合を示す。一つのＲＢは、２個のリソースに分けられ、集約レベルＬのｅ−ＰＤＣＣＨをＬ個のリソースに割り当てることができる。図２５において、第１のリソース（リソース＃０）はアンテナポート７、第２のリソース（リソース＃１）はアンテナポート８に対応されることを例示したが、本発明はこれに制限されるものではない。端末は、各リソースに割り当てられたｅ−ＰＤＣＣＨの復調のために予め指定され、又は上位階層シグナリングにより知られたＤＭＲＳを利用することができる。２個のＲＢで実行されるブラインドデコーディングの回数は、総７回、即ち、集約レベル１で４回、集約レベル２で２回、集約レベル４で１回実行されることができる。ｅ−ＰＤＣＣＨが割り当てられることができるＮ個のＲＢがある場合、端末は、２個のＲＢ単位にブラインドデコーディングを実行することができる。２個のＲＢ単位にブラインドデコーディングを実行し、１個のＲＢが残る場合、残りの一つのＲＢでは集約レベル１で２回、集約レベル２で１回のブラインドデコーディングが実行される。
【０１２４】
図２５のリソース分割は、４個のＲＢ内に集約レベル１、２、４、及び８のｅ−ＰＤＣＣＨの探索領域を構成する場合にも適用されることができる。一つのＲＢは、２個のリソースに分けられ、集約レベルＬのｅ−ＰＤＣＣＨをＬ個のリソースに割り当てることができる。端末は、各リソースに割り当てられたｅ−ＰＤＣＣＨの復調のために予め指定され、又は上位階層シグナリングにより知られたＤＭＲＳを利用することができる。４個のＲＢで実行されるブラインドデコーディングの回数は、総１５回、即ち、集約レベル１で８回、集約レベル２で４回、集約レベル４で２回、集約レベル８で１回実行されることができる。ｅ−ＰＤＣＣＨが割り当てられることができるＮ個のＲＢがある場合、端末は、４個のＲＢ単位にブラインドデコーディングを実行することができる。
【０１２５】
図２６は、提案されたｅ−ＰＤＣＣＨ割当方法によって一つのＲＢ内のＣＣＥ割当のためのリソース分割の他の例を示す。
【０１２６】
図２６は、４個のＲＢ内に集約レベル１、２、及び４のｅ−ＰＤＣＣＨの探索領域を構成する場合を示す。一つのＲＢは、３個のリソースに分けられ、集約レベルＬのｅ−ＰＤＣＣＨをＬ個のリソースに割り当てることができる。図２６において、第１のリソース（リソース＃０）はアンテナポート７、第２のリソース（リソース＃１）はアンテナポート８、第３のリソース（リソース＃２）はアンテナポート９に対応されることを例示したが、本発明はこれに制限されるものではない。端末は、各リソースに割り当てられたｅ−ＰＤＣＣＨの復調のために予め指定され、又は上位階層シグナリングにより知られたＤＭＲＳを利用することができる。４個のＲＢで実行されるブラインドデコーディングの回数は、総２１回、即ち、集約レベル１で１２回、集約レベル２で６回、集約レベル４で３回実行されることができる。ｅ−ＰＤＣＣＨが割り当てられることができるＮ個のＲＢがある場合、端末は、４個のＲＢ単位にブラインドデコーディングを実行することができる。
【０１２７】
または、２個のＲＢ内に集約レベル１及び２のｅ−ＰＤＣＣＨの探索領域を構成することができる。図２４乃至図２６の実施例と違って、一つのＲＢは、複数のリソースに分割されず、一つのＲＢは、集約レベル１のｅ−ＰＤＣＣＨの探索領域で構成される。２個のＲＢは、集約レベル２のｅ−ＰＤＣＣＨの探索領域で構成される。ｅ−ＰＤＣＣＨが割り当てられることができるＮ個のＲＢがある場合、端末は、４個のＲＢ単位にブラインドデコーディングを実行することができる。これを拡張して集約レベルｋ１，ｋ２，．．．，ｋｎのｅ−ＰＤＣＣＨの探索領域は、各々、ｋ１，ｋ２，．．．，ｋｎ個のＲＢである（ｋ１＜ｋ２＜．．．＜ｋｎ）。
【０１２８】
一方、複数の端末のｅ−ＰＤＣＣＨは、端末別に区分され、又は多重化（ｍｕｌｔｉｐｌｅｘｉｎｇ）されることができる。各端末のｅ−ＰＤＣＣＨは、図１９乃至図２６で説明した方法のように端末別に割り当てられたと仮定する。各端末のｅ−ＰＤＣＣＨは、集約レベル１、２、４、及び８に対して１、２、４、及び８個のＣＣＥで構成されることができる。複数の端末のｅ−ＰＤＣＣＨが端末別に区分される場合、各端末のｅ−ＰＤＣＣＨは、互いに異なるＲＢに割り当てられ、各端末別に割り当てられたＣＣＥの大きさによってＲＢを連結（ｃｏｎｃａｔｅｎａｔｉｏｎ）することで、複数の端末のｅ−ＰＤＣＣＨを送信することができる。例えば、第１の端末のｅ−ＰＤＣＣＨが２個のＲＢに割り当てられ、第２の端末のｅ−ＰＤＣＣＨが４個のＲＢに割り当てられる場合、６個のＲＢを連結して２個の端末のｅ−ＰＤＣＣＨを送信することができる。各端末のｅ−ＰＤＣＣＨの開始点は、ｅ−ＰＣＦＩＣＨを介して知らせることができる。
【０１２９】
または、複数の端末のｅ−ＰＤＣＣＨが多重化されることができる。各端末のｅ−ＰＤＣＣＨは、レイヤ、ランク又は空間（ｓｐａｔｉａｌ）軸に多重化されることができる。
【０１３０】
図２７は、提案されたｅ−ＰＤＣＣＨ割当方法によって複数の端末のｅ−ＰＤＣＣＨが一つのＲＢに多重化されることを示す。
【０１３１】
図２７を参照すると、４個の端末のｅ−ＰＤＣＣＨが一つのＲＢに空間軸に多重化される。ＣＲＳ、ＤＭＲＳ等は、便宜上、省略されている。一つのＲＢに多重化されることができる端末の数は、各ノード又はスケジューラが端末のリンク状況を考慮して変わることができる。
【０１３２】
このとき、端末は、ｅ−ＰＤＣＣＨの検出のためにアンテナポート単位にブラインドデコーディングを実行することができる。各レイヤ別チャネル推定のために、端末別に割り当てられるＤＭＲＳポートは、重ならないように設定され、又は直交性（ｏｒｔｈｏｇｏｎａｌｉｔｙ）を維持することができるように設定される必要がある。端末別に自分のｅ−ＰＤＣＣＨをデコーディングするために使用すべきＤＭＲＳポートは、基地局が上位階層シグナリングを介して端末に知らせ、又は予め指定されることができる。または、ｅ−ＰＤＣＣＨのチャネル推定のためのＤＭＲＳ情報（アンテナポート及び／又はＤＭＲＳシーケンス生成のためのパラメータ）は、基地局が上位階層シグナリングを介して端末に知らせ、又は予め指定されることができる。例えば、基地局が端末にアンテナポート７及び８を知らせた場合、端末は、ｅ−ＰＤＣＣＨ検出のためにアンテナポート７及び８に対してブラインドデコーディングを実行する。もし、ＣＲＳを介して同一動作を実行することができる場合、ＣＲＳも端末別チャネル推定に使われることができる。
【０１３３】
このように、ｅ−ＰＤＣＣＨの多重化を介して一つのＲＢ内に複数の端末のｅ−ＰＤＣＣＨを割り当てることができるため、リソース利用の効率性を高めることができる。
【０１３４】
一方、端末のブラインドデコーディング動作を単純にするために検索順序を指定することができる。例えば、アンテナポート｛ｋ１，ｋ２，ｋ３，ｋ４｝を利用してｅ−ＰＤＣＣＨをブラインドデコーディングする場合、端末は、アンテナポート｛ｋ１，ｋ２，ｋ３，ｋ４｝の順序通りにｅ−ＰＤＣＣＨをブラインドデコーディングすることができる。このとき、特定アンテナポートを利用してｅ−ＰＤＣＣＨを検出した端末は、該当アンテナポートより以前順序のアンテナポートを介してｅ−ＰＤＣＣＨが送信されると仮定することができ、該当ＰＤＳＣＨも他のＰＤＳＣＨと共に送信されると仮定することができる。例えば、アンテナポートｋ３でｅ−ＰＤＣＣＨを検出した端末は、アンテナポートｋ１及びｋ２で他のｅ−ＰＤＣＣＨが送信されると仮定することができ、自分のＰＤＳＣＨも他の２個のＰＤＳＣＨと共に送信されると仮定することができる。
【０１３５】
または、ブラインドデコーディング動作を単純にするために以前ブラインドデコーディング情報を利用することもできる。例えば、アンテナポート８で自分のｅ−ＰＤＣＣＨを検出した端末は、アンテナポート８、９、１０、及び７の順序にブラインドデコーディングを実行することができる。このような方法を介して端末のブラインドデコーディング回数を効果的に減らすことができる。
【０１３６】
図２８は、提案されたｅ−ＰＤＣＣＨ割当方法の一実施例を示す。
【０１３７】
ステップＳ１００において、基地局は、ＲＢ内のデータ領域に少なくとも一つのＣＣＥを割り当てる。ステップＳ１１０において、基地局は、少なくとも一つのＣＣＥにｅ−ＰＤＣＣＨを割り当てる。ｅ−ＰＤＣＣＨを割り当てるにあたって、図１９乃至図２７で説明した例示が適用されることができる。ステップＳ１２０において、基地局は、割り当てられたｅ−ＰＤＣＣＨを介してダウンリンク制御信号を送信する。
【０１３８】
図２９は、提案されたｅ−ＰＤＣＣＨ検出方法の一実施例を示す。
【０１３９】
ステップＳ２００において、端末は、ｅ−ＰＤＣＣＨの探索領域を構成する。ｅ−ＰＤＣＣＨの探索領域は、集約レベルによって少なくとも一つのＲＢである。ステップＳ２１０において、端末は、構成されたｅ−ＰＤＣＣＨの探索領域でｅ−ＰＤＣＣＨの検出のためのブラインドデコーディングを実行する。
【０１４０】
図３０は、本発明の実施例が具現される無線通信システムのブロック図である。
【０１４１】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／又は受信する。
【０１４２】
端末９００は、プロセッサ９１０、メモリ９２０、及びＲＦ部９３０を含む。プロセッサ９１０は、提案された機能、過程及び／又は方法を具現する。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／又は受信する。
【０１４３】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部８３０、９３０は、無線信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部又は外部にあり、よく知られた多様な手段によりプロセッサ８１０、９１０と連結されることができる。
【０１４４】
前述した例示的なシステムにおいて、方法は、一連のステップ又はブロックで順序図に基づいて説明されているが、本発明は、ステップの順序に限定されるものではなく、あるステップは、前述と異なるステップと、他の順序に又は同時に発生することができる。また、当業者であれば、順序図に示すステップが排他的でなく、他のステップが含まれ、又は順序図の一つ又はそれ以上のステップが本発明の範囲に影響を及ぼさずに削除可能であることを理解することができる。
【０１４５】
前述した実施例は、多様な態様の例示を含む。多様な態様を示すための全ての可能な組合せを記述することはできないが、該当技術分野の通常の知識を有する者は、他の組合せが可能であることを認識することができる。したがって、本発明は、特許請求の範囲内に属する全ての交替、修正、及び変更を含む。
【図１】
0005663700.tif 000004
【図２】
0005663700.tif 000005
【図３】
0005663700.tif 000006
【図４】
0005663700.tif 000007
【図５】
0005663700.tif 000008
【図６】
0005663700.tif 000009
【図７】
0005663700.tif 000010
【図８】
0005663700.tif 000011
【図９】
0005663700.tif 000012
【図１０】
0005663700.tif 000013
【図１１】
0005663700.tif 000014
【図１２】
0005663700.tif 000015
【図１３】
0005663700.tif 000016
【図１４】
0005663700.tif 000017
【図１５】
0005663700.tif 000018
【図１６】
0005663700.tif 000019
【図１７】
0005663700.tif 000020
【図１８】
0005663700.tif 000021
【図１９】
0005663700.tif 000022
【図２０】
0005663700.tif 000023
【図２１】
0005663700.tif 000024
【図２２】
0005663700.tif 000025
【図２３】
0005663700.tif 000026
【図２４】
0005663700.tif 000027
【図２５】
0005663700.tif 000028
【図２６】
0005663700.tif 000029
【図２７】
0005663700.tif 000030
【図２８】
0005663700.tif 000031
【図２９】
0005663700.tif 000032
【図３０】
0005663700.tif 000033